(57)【要約】【課題】医療機器によって生体情報が測定されている患者、および測定されている生体情報の種類をナースコール親機側で把握できるようにすること。【解決手段】本発明によれば、少なくとも患者の氏名とベッド番号とからなる患者情報を各患者毎に表示するナースコール親機２を備えたナースコールシステムにおいて、ベッド側に備えられた医療機器３０から出力された患者の測定データを受信すると、医療機器３０が備えられたベッドのベッド番号を認識し、ナースコール親機２から表示された患者情報のうち、認識されたベッド番号に対応する患者情報の近傍に、医療機器３０が測定中であることを示すアイコンをナースコール親機２から表示させるようにする。【選択図】      図１
2005080765.tif 000002
【特許請求の範囲】
【請求項１】
少なくとも患者の氏名とベッド番号とからなる患者情報を各患者毎に表示する表示画面を備えたナースコールシステムにおいて、
ベッド側に備えられた医療機器から出力された患者の測定データを受信すると、前記医療機器が備えられたベッドのベッド番号を認識する受信認識手段と、
前記表示画面から表示された患者情報のうち、前記受信認識手段によって認識されたベッド番号に対応する患者情報の近傍に、前記医療機器が測定中であることを示すアイコンを前記表示画面から表示させるアイコン表示手段と
を備えたナースコールシステム。
【請求項２】
請求項１に記載のナースコールシステムにおいて、
前記アイコン表示手段は、前記アイコンを動画表示させるようにしたナースコールシステム。
【請求項３】
請求項１に記載のナースコールシステムにおいて、
前記アイコン表示手段は、前記アイコン内において特定パターンを繰り返し動画表示させるようにしたナースコールシステム。
【請求項４】
請求項３に記載のナースコールシステムにおいて、
前記受信認識手段は前記医療機器を認識し、前記アイコン表示手段は前記受信認識手段によって認識された医療機器に応じて異なる前記特定パターンを繰り返し動画表示させるようにしたナースコールシステム。
【請求項５】
少なくとも患者の氏名とベッド番号とからなる患者情報を各患者毎に表示する表示画面を備えたナースコールシステムに適用されるプログラムであって、
ベッド側に備えられた医療機器から出力された患者の測定データを受信すると、前記医療機器が備えられたベッドのベッド番号を認識する受信認識機能、
前記表示画面から表示された患者情報のうち、前記受信認識機能において認識されたベッド番号に対応する患者情報の近傍に、前記医療機器が測定中であることを示すアイコンを前記表示画面から表示させるアイコン表示機能、
前記アイコン内において特定パターンを繰り返し動画表示させる動画表示機能
をコンピュータに実現させるためのコンピュータ読み取り可能なプログラム。
【発明の詳細な説明】
【技術分野】
【０００１】
この発明は、例えば病院や介護施設で使用されるナースコールシステムおよびそれに適用されるプログラムに関する。
【背景技術】
【０００２】
一般に、ナースコールシステムは、ナースセンタに設置されるナースコール親機と、各病室のベッド毎に設置される子機とから構成されている。各子機には、呼出ボタンを有する呼出子機や、医療機器等が接続される接続端子が備えられている。
【０００３】
そして、患者が呼出ボタンを操作した場合に、呼出子機からナースコール親機へ呼出信号が送信され、ナースコール親機から鳴音を発生させたり、呼出元の子機を表すアイコンを変色表示させることにより呼出の発生が報知され、さらに呼出元の患者の氏名や属性等がナースコール親機の表示器から表示される。
【０００４】
また、医療機器の出力端子を子機の接続端子に接続することによって、医療機器が患者の急変等を検出した場合には、この医療機器から出力される異常検出信号を子機が受信し、更にこの異常検出信号が子機からナースコール親機へと送信される。この場合もまた同様にナースコール親機から鳴音を発生させたり、異常検出信号の出力元の子機を表すアイコンを変色表示させることにより患者の急変が報知され、さらに該当する患者の氏名や属性等が表示器から表示される。
【０００５】
このため看護師は、患者から呼出があった場合には、ナースセンタにおいて上記呼出報知と患者の氏名等により呼出の発生と呼出元の患者を認識することができる。そして、ナースコール親機と呼出元の呼出子機との通話機能を使用して患者の要求を聞き出すことができ、その上で必要な看護処置を実施することができる（例えば、特許文献１を参照。）。
【０００６】
また、異常検出信号が送信された場合には、ナースセンタにおいて表示器に表示された内容を確認することにより、様態の急変した患者の氏名や属性等を把握することができ、その上で担当医師に連絡をする等といった必要な対策を講じることができる。
【特許文献１】特許第２８８７５５２号公報
【特許文献２】特開２００１−３１４３７９号公報
【発明の開示】
【発明が解決しようとする課題】
【０００７】
上述したように、従来のナースコールシステムでは、患者からの呼出があった場合には、それが認識されるとともに、患者の様態の急変もまた医療機器から送信される異常検出信号に基づいて認識される。
【０００８】
このように、患者の様態の急変を、異常検出信号のみに基づいて認識しているために、看護師は、異常検出信号が送信されない限りは、医療機器によって生体情報が測定されている患者がどの患者であるかも、また使用されている医療機器が何であるかもわからない。
【０００９】
そのため、万が一、患者の様態が急変した場合には、看護師は、まずその患者を把握し、更に何が急変したのかをまず把握しなければならず、様態急変への対応を迅速に行うことが困難となる可能性が生じるという問題がある。
【００１０】
本発明はこのような事情に鑑みてなされたものであり、医療機器によって生体情報が測定されている患者、および測定されている生体情報の種類をナースコール親機側で把握できるようにし、もって、様態急変時における対応を迅速に行うことを可能とするナースコールシステム、およびこのナースコールシステムを動作させるプログラムを提供することを目的とする。
【課題を解決するための手段】
【００１１】
上記の目的を達成するために、本発明では、以下のような手段を講じる。
【００１２】
すなわち、請求項１の発明は、少なくとも患者の氏名とベッド番号とからなる患者情報を各患者毎に表示する表示画面を備えたナースコールシステムにおいて、ベッド側に備えられた医療機器から出力された患者の測定データを受信すると、医療機器が備えられたベッドのベッド番号を認識する受信認識手段と、表示画面から表示された患者情報のうち、受信認識手段によって認識されたベッド番号に対応する患者情報の近傍に、医療機器が測定中であることを示すアイコンを表示画面から表示させるアイコン表示手段とを備えている。
【００１３】
従って、請求項１の発明のナースコールシステムにおいては、以上のような手段を講じることにより、表示画面をナースセンタに設置することによって、医療機器によって生体情報が測定されている患者と、測定されている生体情報とをナースセンタにおいて把握することができる。
【００１４】
請求項２の発明は、請求項１の発明のナースコールシステムにおいて、アイコン表示手段は、アイコンを動画表示させるようにしている。
【００１５】
従って、請求項２の発明のナースコールシステムにおいては、以上のような手段を講じることにより、表示されたアイコンを看護師がより確実に認識できるようになるために、患者の生体情報が医療機器によって測定されていることをナースセンタにおいてより確実に把握することが可能となる。
【００１６】
請求項３の発明は、請求項１の発明のナースコールシステムにおいて、アイコン表示手段は、アイコン内において特定パターンを繰り返し動画表示させるようにしている。
【００１７】
従って、請求項３の発明のナースコールシステムにおいてもまた、請求項２の発明のナースコールシステムと同様に、表示されたアイコンを看護師がより確実に認識できるようになるために、患者の生体情報が医療機器によって測定されていることをナースセンタにおいてより確実に把握することが可能となる。
【００１８】
請求項４の発明は、請求項３の発明のナースコールシステムにおいて、受信認識手段は医療機器を認識し、アイコン表示手段は受信認識手段によって認識された医療機器に応じて異なる特定パターンを繰り返し動画表示させるようにしている。
【００１９】
従って、請求項４の発明のナースコールシステムにおいては、以上のような手段を講じることにより、表示されたアイコンのパターンに基づいて、測定されている生体情報の種類を視覚的に認識することが可能となる。
【００２０】
請求項５の発明は、少なくとも患者の氏名とベッド番号とからなる患者情報を各患者毎に表示する表示画面を備えたナースコールシステムに適用されるプログラムであって、ベッド側に備えられた医療機器から出力された患者の測定データを受信すると、医療機器が備えられたベッドのベッド番号を認識する受信認識機能、表示画面から表示された患者情報のうち、受信認識機能において認識されたベッド番号に対応する患者情報の近傍に、医療機器が測定中であることを示すアイコンを表示画面から表示させるアイコン表示機能、アイコン内において特定パターンを繰り返し動画表示させる動画表示機能をコンピュータに実現させるためのコンピュータ読み取り可能なプログラムである。
【００２１】
従って、請求項５の発明のプログラムにおいては、以上のような手段を講じることにより、患者の生体情報が医療機器によって測定されている場合には、表示画面において、対応する患者情報の近傍に、医療機器が測定中であることを示すアイコンを表示させることができる。したがって、このアイコンを看護師が確認することによって、患者の特定と、医療機器が測定中であることとを把握することができる。
【発明の効果】
【００２２】
本発明によれば、医療機器によって生体情報が測定されている患者、および測定されている生体情報の種類をナースコール親機側で把握することができる。
【００２３】
以上により、様態急変時における対応を迅速に行うことを可能とするナースコールシステム、およびこのナースコールシステムを動作させるプログラムを実現することができる。
【発明を実施するための最良の形態】
【００２４】
以下に、本発明の実施の形態について図面を参照しながら説明する。
【００２５】
本発明の実施の形態を図１から図８を用いて説明する。
【００２６】
図１は、本発明の実施の形態に係るナースコールシステムの一例を示す概略構成図である。なお、同実施の形態では病棟に設置される看護支援用のナースコールシステムを例にとって説明するが、本発明のナースコールシステムは、勿論病棟に設置されるものに限定されるものではなく、介護施設等に設置されるナースコールシステムとして適用することも可能である。
【００２７】
ナースコールシステムは、各病室にそれぞれ設置される病室ユニット１１〜１ｎと、ナースセンタに設置されるセンタ装置としてのナースコール親機２とを備え、これらの病室ユニット１１〜１ｎとナースコール親機２との間はそれぞれ通信線路を介して接続される。またナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００２８】
さらに、ナースコール親機２は、例えばＬＡＮ（Local Area Network）７を介して看護支援サーバ９に接続される。看護支援サーバ９は、看護支援のための種々情報を記憶し管理する。なお、１０は看護支援サーバ９に記憶されたデータをプリントアウトするために使用されるプリンタ、８は看護支援サーバ９およびプリンタ１０をＬＡＮ７に接続するためのハブである。
【００２９】
病室ユニット１１〜１ｎは、病室の天井等に設置されたマイクロホン１０１およびスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９および握り押しボタン１１０を備え、これらは病床の壁に、各ベッド毎に設けられた壁埋め込み型子機１０８に、接続端子１１２を介して接続される。このように接続端子１１２を介して壁埋め込み型子機１０８に接続されたハンド型子機１０９および握り押しボタン１１０は、壁埋め込み型子機１０８を介して個別情報廊下灯１０７に接続される。
【００３０】
このうち、握り押しボタン１１０およびトイレ・浴室用押しボタン１０３は患者が看護師を呼び出す際に使用するもので、その操作信号はそれぞれ壁埋め込み型子機１０８またはＩ／Ｏユニット１０６を介して個別情報廊下灯１０７に伝えられる。また、壁埋め込み型子機１０８に設けられた押しボタン１１１が押下された場合にも、操作信号が個別情報廊下灯１０７に伝送される。個別情報廊下灯１０７は、各押しボタン１１１の操作信号を受信すると、自身の表示部１１３に呼出の発生を表示する。またそれと共に、呼出信号を生成してナースコール親機２へ送信する。呼出信号には、押しボタン１１１の番号またはアドレス情報が挿入される。
【００３１】
マイクロホン１０１とスピーカ１０２、ハンド型子機１０９および壁埋め込み型子機１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００３２】
また、壁埋め込み型子機１０８の接続端子１１２に、例えば心電図モニタ等の医療機器３０の出力端子を接続することによって、壁埋め込み型子機１０８は、医療機器３０から出力される測定信号を受信する。この測定信号には、医療機器３０の識別情報も含まれている。そして、壁埋め込み型子機１０８は、この測定信号を受信すると、この測定信号に自己（壁埋め込み型子機１０８）の番号またはアドレス情報を付加して個別情報廊下灯１０７を介してナースコール親機２に送信する。
【００３３】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ４が接続される。
【００３４】
ところで、ナースコール親機２は次のように構成される。図２はその機能構成を示すブロック図である。  
すなわち、ナースコール親機２は、制御部として例えばマイクロコンピュータを使用する中央処理ユニット（ＣＰＵ）２０を備える。このＣＰＵ２０には、プログラムメモリ２１およびデータメモリ２２が接続されており、さらに通信インタフェース２３，２４と、ネットワークインタフェース２５と、通話インタフェース２６と、入力表示インタフェース２７がそれぞれ接続されている。
【００３５】
このうち通信インタフェース２３は、ＣＰＵ２０の制御の下、各病室ユニット１１〜１ｎとの間で信号の伝送を行う。同様に通信インタフェース２４は、ＣＰＵ２０の制御の下、ハンディナースコール主装置３との間で信号の送受信を行う。ネットワークインタフェース２５は、ＣＰＵ２０の制御の下、ＬＡＮ７との間で信号の送受信を行う。
【００３６】
通話インタフェース２６には、看護師が患者との間で通話を行うために使用するマイクロホン２６１およびスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００３７】
入力表示インタフェース２７には、タッチパネル／表示器２７１が接続される。タッチパネル／表示器２７１は、例えばＣＲＴまたはＬＣＤからなる表示器の表示画面上に透明感圧シートを貼付したもので、情報の表示機能と入力機能とを併せ持っている。入力表示インタフェース２７は、ＣＰＵ２０から供給された表示情報をタッチパネル／表示器２７１に表示すると共に、タッチパネル／表示器２７１において入力された操作情報をＣＰＵ２０に供給する。
【００３８】
データメモリ２２には、アイコン表示データベース２２ａが設けられている。アイコン表示データベース２２ａには、アイコン表示データが記憶される。このアイコン表示データは、図３に示すようにタッチパネル／表示器２７１の患者一覧表示エリアＥ１において、患者毎に備えられたアイコン表示部Ｅ４から、対応する患者の生体情報を測定する医療機器３０が動作中であることを示すアイコンが表示された場合にアイコン表示プログラム２１ａによって作成されるものであって、アイコン表示部Ｅ４からアイコンが表示された該当患者のベッド番号、医療機器３０の識別情報、アイコン表示がなされた時間帯から構成される。なお、アイコン表示部Ｅ４およびアイコン表示部Ｅ４から表示されるアイコンの詳細については後述する。
【００３９】
プログラムメモリ２１には、同実施の形態に係るコールセンタシステムを実現するためのプログラムとしてアイコン表示プログラム２１ａが格納されている。アイコン表示プログラム２１ａは、例えば磁気ディスク等の記憶媒体から読み出されたり、あるいはインターネット等の通信ネットワークを介してダウンロードされ、プログラムメモリ２１に格納される。本コールセンタシステムは、このアイコン表示プログラム２１ａによって動作が制御されるＣＰＵ２０によって実現される。
【００４０】
アイコン表示プログラム２１ａは、各病室ユニット１１〜１ｎの個別情報廊下灯１０７から送信された測定信号が、通信インタフェース２３を介してＣＰＵ２０によって取得されると、測定信号に付加された壁埋め込み型子機１０８の番号またはアドレス情報に基づいて、送信元の壁埋め込み型子機１０８を認識する。上述したように、壁埋め込み型子機１０８は、ベッド毎に設けられているので、送信元の壁埋め込み型子機１０８を認識することによって、対応するベッド番号を認識する。
【００４１】
次に、例えば図４に示すように、タッチパネル／表示器２７１に表示されている患者一覧表示エリアＥ１において、認識されたベッド番号に対応する患者名の近傍のアイコン表示部Ｅ４に、医療機器３０が測定中であることを示すアイコンを表示させる。すなわち、患者一覧表示エリアＥ１では、病室番号毎に、ベッド毎の患者名が表示される。例えば、第２２病室の第４ベッド（例えば、このベッド番号は２２４と認識される。）に対応する表示部分には、この患者名である「長井和夫」という名前が表示されている。名前の表示部分の左側には、アイコン表示部Ｅ４が備えられており、該患者の生体情報が医療機器３０によって測定されている場合には、例えば図４中に示すようにアイコンが表示される。
【００４２】
アイコンのパターンは、測定している生体情報に応じて異なるものとする。測定している生体情報は、測定信号に含まれている医療機器３０の識別番号から識別する。例えば、図５（ａ）に示すパターンは心拍数、図５（ｂ）に示すパターンは心電図、図５（ｃ）に示すパターンは血圧などとする。これによって、看護師は、アイコン表示部Ｅ４に表示されているアイコンのパターンを確認することによって、医療機器３０によって生体情報の測定がなされている患者を把握することができるのみならず、その測定項目をも同時に把握することができる。すなわち、図４では、ベッド番号２２４の「長井和夫」さんの心拍数が測定されていることが把握される。
【００４３】
アイコンの表示方法は、図５に示すようなパターンを静止画として表示しても、フリッカ表示しても、動画表示しても、変色表示しても、またその他の表示方法であっても、あるいはこれらを適宜組み合わせた表示方法であっても、看護師が把握可能は表示方法であれば何れの方法であっても構わない。動画表示する場合には、図６に示すように時間の進行とともにパターンが流れるように繰り返し表示する。これによって、看護師は、医療機器３０によって生体情報が測定されている患者を視覚的に把握できるようになる。
【００４４】
なお、アイコン表示部Ｅ４から表示されるのは、あくまでパターンであって、測定値との関連性は一切なくて構わないが、アイコン表示部Ｅ４から実測値を表示するようにしてもよい。この場合、ナースセンタから患者の生体情報を遠隔から収集し監視することが可能となる。なお、患者の生体情報を遠隔から収集する発明の先行文献としては、例えば特許文献２がある。
【００４５】
アイコン表示プログラム２１ａは、このようにして該当患者のアイコン表示部Ｅ４からアイコンを表示させると、該当患者のベッド番号、医療機器３０の識別番号、アイコン表示がなされた時間帯からなるアイコン表示データを作成し、作成したアイコン表示データをアイコン表示データベース２２ａに記憶させる。
【００４６】
次に、以上のように構成した同実施の形態に係るナースコールシステムが、医療機器３０によって生体情報が測定されている患者に対応するアイコン表示部Ｅ４からアイコン表示する場合の動作について図７に示すフローチャートを用いて説明する。
【００４７】
待機状態において、ナースコール親機２のタッチパネル／表示器２７１には待機画面が表示される。図３はその一例を示すもので、待機画面は患者一覧表示エリアＥ１と、管理データ表示エリアＥ２と、表示画面選択ボタンＥ３とから構成される。更に患者一覧表示エリアＥ１には、病棟における病室および病床のレイアウトと共に患者の氏名が一覧表示される。また、患者の氏名の左側にはアイコン表示部Ｅ４が設けられており、当該患者が何らかの医療機器３０によって生体情報が測定されている場合には、測定されている生体情報の種類に対応したパターンを有するアイコンが表示される。管理データ表示エリアＥ２には、入院者情報が表示される。上記待機状態においてナースコール親機２のＣＰＵ２０は、通信インタフェース２３を介して病室ユニット１１〜１ｎから送信される測定信号を待ち受けている。
【００４８】
患者の生体情報を測定する場合には、該患者のベッドに対応して配置されている壁埋め込み型子機１０８の接続端子１１２に、医療機器３０の出力端子が接続される。そして、この医療機器３０によって患者の生体情報が測定されると、この医療機器３０の識別番号を含む測定信号が医療機器３０から出力され、壁埋め込み型子機１０８に入力される（Ｓ１）。
【００４９】
すると、壁埋め込み型子機１０８によって、この測定信号に自己の壁埋め込み型子機１０８の番号またはアドレス情報が更に付加され、個別情報廊下灯１０７を介してナースコール親機２へと送信される（Ｓ２）。
【００５０】
このようにして送信された測定信号は、通信インタフェース２３を経由してＣＰＵ２０に入力される（Ｓ３）。
【００５１】
すると、ＣＰＵ２０によってアイコン表示プログラム２１ａが呼び出され、アイコン表示プログラム２１ａによって、測定信号に付加された壁埋め込み型子機１０８の番号またはアドレス情報に基づいて送信元の壁埋め込み型子機１０８が、測定信号に含まれる識別番号に基づいて医療機器３０がそれぞれ特定される（Ｓ４）。壁埋め込み型子機１０８は、ベッド毎に設けられているので、このように送信元の壁埋め込み型子機１０８が特定されることは、対応するベッド番号が特定されることになる。また、医療機器３０が特定されることは、測定されている生体情報の種類が特定されることになる。
【００５２】
更にアイコン表示プログラム２１ａによって、例えば図４に示すように、タッチパネル／表示器２７１に表示されている患者一覧表示エリアＥ１において、ステップＳ４にて認識されたベッド番号に対応する患者名の近傍のアイコン表示部Ｅ４に、測定中の生体情報に応じたパターンを有するアイコンが表示される（Ｓ５）。
【００５３】
また、ＣＰＵ２０によって、鳴音データが通話インタフェース２６に与えられ、その結果、スピーカ２６２から鳴音が発生される。またそれと共に、入力表示インタフェース２７に表示制御データが与えられる。その結果、タッチパネル／表示器２７１の患者一覧表示エリアＥ１における該当する患者の部屋番号および氏名が待機時とは異なる色で点灯または点滅表示される（Ｓ６）。
【００５４】
このように表示されたタッチパネル／表示器２７１を看護師が確認することによって、医療機器３０によって生体情報が測定されている患者、および測定されている生体情報の種類が把握される（Ｓ７）。なお、アイコンの表示方法は、静止画表示でも良いが、フリッカ表示したり、変色表示したり、あるいは図６に示すように時間の進行とともに流れるようにパターンが繰り返される動画表示したり、これらを適宜組み合わせて表示すれば、より効果的である。
【００５５】
また、アイコン表示部Ｅ４から表示されるのは、あくまでパターンであって、測定値との関連性は一切なくて構わないが、勿論アイコン表示部Ｅ４から実測値を表示するようにしてもよい。この場合、ナースセンタから患者の生体情報を収集し監視することが可能となる。
【００５６】
このようにしてアイコン表示部Ｅ４からアイコンが表示されると、該当患者のベッド番号、医療機器３０の識別番号、およびアイコン表示がなされた時間帯からなるアイコン表示データがアイコン表示プログラム２１ａによって作成され、アイコン表示データベース２２ａへと記憶される（Ｓ８）。
【００５７】
なお、上述したアイコン表示プログラム２１ａは、コンピュータに実行させることができるものであって、例えば磁気ディスク（フロッピー（登録商標）ディスク、ハードディスク等）、光ディスク（ＣＤ−ＲＯＭ、ＤＶＤ等）、半導体メモリ等の記憶媒体に格納し、またインターネット等の通信媒体により伝送して頒布することもできる。
【００５８】
記憶媒体に格納されるプログラムは、アイコン表示プログラム２１ａの他に、コンピュータに実行させるソフトウエア手段（実行プログラムのみならずテーブルやデータ構造も含む）をコンピュータ内に構成させる設定プログラムをも含む。また、これらプログラムは、記憶媒体から、あるいは通信媒体からコンピュータに読み込まれると、このコンピュータを動作させることによって上述した処理を実行させる。
【００５９】
上述したように、同実施の形態に係るナースコールシステムにおいては、上記のような作用により、医療機器３０によって生体情報が測定されている患者、および測定されている生体情報の種類を、様態急変時に限らずナースコール親機２側において把握することができる。
【００６０】
その結果、看護師は、様態が急変しそうな患者を予め把握することができるために、これら患者に対して万が一、様態が急変するような事態が生じた場合には、迅速に対応を行うことが可能となる。
【００６１】
なお、様態急変時には、［背景技術］において説明したように、既存のナースコールシステムが備えている機能によって、ナースコール親機から鳴音が発鳴されたり、患者一覧表示エリアＥ１において該当する患者の氏名が変色表示されることによって様態急変が看護師に報知される。
【００６２】
以上、本発明の好適な実施の形態について、添付図面を参照しながら説明したが、本発明はかかる構成に限定されない。特許請求の範囲の発明された技術的思想の範疇において、当業者であれば、各種の変更例および修正例に想到し得るものであり、それら変更例および修正例についても本発明の技術的範囲に属するものと了解される。
【図面の簡単な説明】
【００６３】
【図１】本発明の実施の形態に係るナースコールシステムの一例を示す概略構成図。
【図２】ナースコール親機の機能構成例を示すブロック図。
【図３】タッチパネル／表示器から表示された看護記録画面一例を示す模式図。
【図４】アイコン表示部からアイコンが表示されたタッチパネル／表示器の画面表示例を示す模式図。
【図５】アイコン表示部から表示されるアイコンパターンの例を示す模式図。
【図６】アイコン表示部からアイコンが動画表示される状態を説明するための模式図。
【図７】アイコン表示部からアイコン表示する場合の動作を示すフローチャート。
【図８】タッチパネル／表示器から表示された待機画面一例を示す模式図。
【符号の説明】
【００６４】
Ｆ１…最終登録データ、Ｆ２…選択データ、Ｆ３…看護項目データ、Ｅ１…患者一覧表示エリア、Ｅ２…管理データ表示エリア、Ｅ３…表示画面選択ボタン、Ｅ４…アイコン表示部、Ｅ３１…看護記録ボタン、２…ナースコール親機、３…ハンディナースコール主装置、４…構内交換機（ＰＢＸ）、５…公衆網、６…無線ユニット、７…ＬＡＮ、９…看護支援サーバ、１０…プリンタ、１１〜１ｎ…病室ユニット、２０…中央処理ユニット（ＣＰＵ）、２１…プログラムメモリ、２１ａ…アイコン表示プログラム、２２…データメモリ、２２ａ…アイコン表示データベース、２３，２４，２６…通信インタフェース、２５…ネットワークインタフェース、２７…入力表示インタフェース、３０…医療機器、６１，６２…無線基地局、７１〜７ｍ…携帯端末、１０１，２６１…マイクロホン、１０２，２６２…スピーカ、１０３…トイレ・浴室用押しボタン、１０４…代表廊下灯、１０５…復旧ボタン、１０６…Ｉ／Ｏユニット、１０７…個別情報廊下灯、１０８…埋め込み型子機、１０９…ハンド型子機、１１０…握り押しボタン、１１１…押しボタン、１１２…接続端子、１１３…表示部、２７１…タッチパネル／表示器
【図１】
2005080765.tif 000003
【図２】
2005080765.tif 000004
【図３】
2005080765.tif 000005
【図４】
2005080765.tif 000006
【図５】
2005080765.tif 000007
【図６】
2005080765.tif 000008
【図７】
2005080765.tif 000009
【図８】
2005080765.tif 000010